(57)【特許請求の範囲】
【請求項１】
上流側点検歩廊と下流側点検歩廊を連絡するスライド式点検歩廊を備えた可動式点検架台において、
前記可動式点検架台をヒンジを介して前記下流側点検歩廊に回転自在に設置し、また、前記可動式点検架台に滑車及び固定フックを設置すると共に、前記スライド式点検歩廊を前記可動式点検架台に格納自在に設置し、前記可動式点検架台の滑車に前記下流側点検歩廊に設置される手巻きウインチに巻かれたワイヤロープを掛けて、前記手巻きウインチを操作することにより、前記固定フックを前記下流側点検歩廊に設置した固定ボルトから取外して、前記可動式点検架台を前記ヒンジを中心に回転自在に構成したことを特徴とする可動式点検架台。
【請求項２】
前記可動式点検架台は、前記下流側点検歩廊に設置した前記固定ボルトに係止する前記固定フックを備えており、前記固定フックを前記固定ボルトに係止した状態で水平状態に支持されることを特徴とする請求項１に記載の可動式点検架台。
【発明の詳細な説明】
【技術分野】
【０００１】
本発明は、ダムに設置される直線多重式取水設備の取水ゲートの点検設備に使用される可動式点検架台に関する。
【背景技術】
【０００２】
従来、ダム貯水池等の深さにより異なる水温や水質を目的に応じて自由に選択して取水する直線多重式取水設備の取水ゲートの点検を容易にするために、上流側点検歩廊と下流側点検歩廊を連絡する可動式点検架台が設置されている。この可動式点検架台は、取水ゲートを格納するとき、取水ゲートの格納場所を確保するために、格納させる必要がある。
【０００３】
従来の可動式点検架台の格納作業は、上流側点検歩廊に連結されているスライド式歩廊を可動式点検架台上に載置して、取水ゲート格納用リフティングビームをチェンブロックより取外し、取水ゲート格納用リフティングビームを下流側点検歩廊に仮置する。そして、可動式点検架台吊上げ用ワイヤをチェンブロックに取付け、可動式点検架台の固定ボルトを取外し、下流側点検歩廊の手摺も取外して、チェンブロックにより可動式点検架台を吊上げて下流側点検歩廊上へ移動させて仮置するようにしている。
【０００４】
また、特許文献１に記載されたゲート点検台は、取水ゲートのスパン方向両端面の戸溝内にスピンドル昇降装置を設け、点検台懸吊ねじスピンドルを螺合させ、ハンドルを操作することで点検台を昇降可能にしており、点検時では、点検台を下降させて使用し、点検時以外では、点検台を上昇させて格納させている。
【先行技術文献】
【特許文献】
【０００５】
【特許文献１】実開平０５−７３０２９号公報
【発明の概要】
【発明が解決しようとする課題】
【０００６】
しかしながら、上記の可動式点検架台の格納作業では次のような問題がある。可動式点検架台の格納作業は、重さが数百ｋｇｆもある可動式点検架台を下流側点検歩廊上へ移動させているが、この可動式点検架台の移動は、狭隘箇所で作業を行う必要があるので、数百ｋｇｆもある可動式点検架台の移動作業は困難である。また、移動作業の手順が複雑であるため時間がかかり、更に、手摺の取外し作業は、足場が不安定となり安全面に問題がある。また、直線多重式取水設備内は、作業空間が限られているため、取水ゲート格納用リフティングビーム、可動式点検架台及び手摺を仮置きする場所を確保するために、さらに取水設備内の作業空間が狭くなる。
【０００７】
本発明は、上記の点に鑑みてなされたものであり、可動式点検架台の取外し及び仮置を必要とせず、可動式点検架台を回転格納させることで、取水ゲートの点検場所を確保して、安全に格納作業が行うことができる可動式点検架台を提供することを目的とする。
【課題を解決するための手段】
【０００８】
上記の課題を解決するために、請求項１の可動式点検架台に係る発明は、上流側点検歩廊と下流側点検歩廊を連絡するスライド式点検歩廊を備えた可動式点検架台において、
前記可動式点検架台をヒンジを介して前記下流側点検歩廊に回転自在に設置し、また、前記可動式点検架台に滑車及び固定フックを設置すると共に、前記スライド式点検歩廊を前記可動式点検架台に格納自在に設置し、前記可動式点検架台の滑車に前記下流側点検歩廊に設置される手巻きウインチに巻かれたワイヤロープを掛けて、前記手巻きウインチを操作することにより、前記固定フックを前記下流側点検歩廊に設置した固定ボルトから取外して、前記可動式点検架台を前記ヒンジを中心に回転自在に構成したことを特徴とする。
また、上記課題を解決するために、請求項２の可動式点検架台に係る発明は、前記可動式点検架台は、前記下流側点検歩廊に設置した前記固定ボルトに係止する前記固定フックを備えており、前記固定フックを前記固定ボルトに係止した状態で水平状態に支持されることを特徴とする。
【発明の効果】
【０００９】
本発明によれば、可動式点検架台の取外し及び仮置を必要とせず、可動式点検架台を回転格納させることで、取水ゲートの点検場所を確保して、安全に格納作業が行うことができる可動式点検架台を提供することができる。
【図面の簡単な説明】
【００１０】
【図１】本発明の一実施形態に係るスライド式点検歩廊が格納状態である取水設備の取水ゲート点検設備の概略平面図である。
【図２】図１に示す取水設備の取水ゲート点検設備の概略側面図である。
【図３】図１に示す取水設備の取水ゲート点検設備の概略正面図である。
【図４】スライド式点検架台がスライドされた状態である取水設備の取水ゲート点検設備の概略側面図である。
【図５】可動式点検架台の格納状態である取水設備の取水ゲート点検設備の概略側面図である。
【発明を実施するための形態】
【００１１】
以下、本発明の実施形態を図１〜図３に基づいて詳細に説明する。
図１は、本発明の一実施形態に係るスライド式点検歩廊６が格納状態である取水設備の取水ゲート点検設備１の概略平面図を示し、図２は、側面図を示し、図３は、正面図を示している。図１〜図３に示すように、本実施形態の取水設備の取水ゲート点検設備１は、取水ゲート２を点検するための上流側点検歩廊３と、取水ゲート２を点検するための下流側点検歩廊４と、上流側点検歩廊３と下流側点検歩廊４を連絡するスライド式点検歩廊６を備えた可動式点検架台５とで構成されている。
【００１２】
上流側点検歩廊３は、上段上流側点検歩廊３ａと下段上流側点検歩廊３ｂで構成される。上段上流側点検歩廊３ａには、下段上流側点検歩廊３ｂに移動するためのタラップ７が設置されている。このタラップ７には、下段上流側点検歩廊３ｂへ作業員が移動する際の安全を確保するために、上段上流側点検歩廊３ａ上に開口扉８が設置されている。これにより、作業員が下段上流側点検歩廊３ｂに降りるときは、開口扉８を開け、タラップ７を用いて下段上流側点検歩廊３ｂに移動する。また、上段上流側点検歩廊３ａと下段上流側点検歩廊３ｂには、作業員の安全を確保するための手摺９が設置されている。通常運用時では、上流側点検歩廊３は、下流側点検歩廊４とは連絡されておらず、作業員は移動することができない。
【００１３】
下流側点検歩廊４は、上段下流側点検歩廊４ａと、中段下流側点検歩廊４ｂと、下段下流側点検歩廊４ｃとで構成される。また、各下流側点検歩廊４ａ，４ｂ，４ｃには、作業員の安全を確保するための手摺９が設置されている。上段下流側点検歩廊４ａ及び中段下流側点検歩廊４ｂは、平面視略コ型状の歩廊である。上段下流側点検歩廊４ａには、中段下流側点検歩廊４ｂへの移動のために、また、中段下流側点検歩廊４ｂには、下段下流側点検歩廊４ｃへの移動するためのタラップ７がそれぞれ設置されている。また、上段上流側点検歩廊３ａと同様に、中段下流側点検歩廊４ｂ及び下段下流側点検歩廊４ｃへ作業員が移動する際の安全を確保するために、上段下流側点検歩廊４ａと中段下流側点検歩廊４ｂにそれぞれ開口扉８が設置されている。
【００１４】
更に、上段下流側点検歩廊４ａの内側両側部には、可動式点検架台５を支持するための固定ボルト１０が対向するように形成され、上段下流側点検歩廊４ａの内側両角部の下部には、可動式点検架台５を回転自在に保持するためのヒンジ１１がそれぞれ設置されている。また、上段下流側点検歩廊４ａの片側（図３において右側）には、可動式点検架台５を移動させるための手巻きウインチ１２が備えられている。この手巻きウインチ１２には、可動式点検架台５を移動するためのワイヤロープ１６が備えられている。なお、ワイヤロープ１６の材質は、ＳＵＳ３０４を使用している。
【００１５】
可動式点検架台５は、この可動式点検架台５上に格納することができるスライド式点検架台６を備えており、可動式点検架台５の両側部には、上段下流側点検歩廊４ａの一対の固定ボルト１０に掛けるための一対の固定フック１３と、ワイヤロープ１６を掛けるための第１滑車１４ａと第２滑車１４ｂが備えられている。可動式点検架台５は、上段下流側点検歩廊４ａに設置したヒンジ１１に結合されており、ヒンジ１１を中心にして水平位置から垂直位置まで回転移動することができる。また、可動式点検架台５は、一対の固定フック１３を上段下流側点検歩廊４ａの一対の固定ボルト１０にそれぞれ係止することで吊持され、上段下流側点検歩廊４ａの側方に水平状態に配置される。
【００１６】
スライド式点検架台６は、図３に示すように、可動式点検架台５に対してスライドができるように転動輪１５を備えており、また、スライド式点検架台６上には、作業員の安全を確保するための手摺１７が備えられている。なお、スライド式点検架台６の手摺１７は、可動式点検架台５に格納されたとき、折りたたむことができる（図１及び図３の２点鎖線参照）。また、図４に示すように、スライド式点検架台６は、上段上流側点検歩廊側３ａに向けてスライドさせることで、上段上流側点検歩廊３ａと上段下流側点検歩廊４ａとを連絡して作業員が移動できるようになっている。
【００１７】
可動式点検架台５の第１滑車１４ａと第２滑車１４ｂには、手巻きウインチ１２のワイヤロープ１６が掛けられている。また、第１滑車１４ａの上方には、取水ゲート点検設備１の天井に取付けられている第１固定部１８ａに取付けた第３滑車１４ｃと第１転向シーブ１９ａが設置され、また、第２滑車１４ｂの上方には、取水ゲート点検設備１の天井に取付けられている第２固定部１８ｂに取付けた第４滑車１４ｄと第２転向シーブ１９ｂがそれぞれ設置されている。
【００１８】
そして、手巻きウインチ１２から繰出されたワイヤロープ１６は、図３に示すように、第１滑車１４ａから上方の第３滑車１４ｃに掛渡され、第３滑車１４ｃから第１転向シーブ１９ａを通り、第１転向シーブ１９ａによりワイヤロープ１６の方向を第４滑車１４ｄ側の方に変更して、第１転向シーブ１９ａから第２転向シーブ１９ｂに掛渡して、第２転向シーブ１９ｂによりワイヤロープ１６の方向を下方に変更して、第２転向シーブ１９ｂから第４滑車１４ｄを経由して、第４滑車１４ｄから第２滑車１４ｂに掛渡され、最終的に第２固定部材１８ｂの端部に取付けられている。これにより、可動式点検架台５は、第１〜第４滑車１４ａ〜１４ｄに掛けられたワイヤロープ１６を手巻きウインチ１２で操作してワイヤロープ１６の巻上げ、巻戻しを行うことで水平位置から垂直位置に移動させることができる。
【００１９】
以上のように構成した取水ゲート点検設備１の可動式点検架台５の格納手順について図４及び図５に基づいて説明する。
図４には、スライド式点検架台６がスライドされた状態である取水設備の取水ゲート点検設備１の概略側面図が示され、図５には、可動式点検架台５の格納状態である取水設備の取水ゲート点検設備１の概略側面図が示されている。まず、図４に示すように、通常運用時には、スライド式点検架台６は、取水ゲート２の点検作業を行うために上流側点検歩廊３側に向けてスライドされているので、スライド式点検架台６を可動式点検架台５側に向けてスライドさせ、スライド式点検架台６を可動式点検架台５上に格納させる（図２参照）。このとき、スライド式点検架台６に設置された手摺１７は、可動式点検架台５上に倒して格納する。手摺１７を倒すことで、手摺の取外し作業を省略することができるので作業時間を短縮することができる。
【００２０】
そして、スライド式点検歩廊６を格納した状態で可動式点検架台５を格納させるために、手巻きウインチ１２により可動式点検架台５の第１〜第４滑車１４ａ〜１４ｄに掛けられているワイヤロープ１６を若干巻上げして、可動式点検架台５を持上げて、上段下流側点検歩廊４ａの固定ボルト１０に係止している固定フック１３を取外し、可動式点検架台５の支持を解除する。そして、手巻きウインチ１２によりワイヤロープ１６を巻戻してヒンジ１１を中心にして可動式点検架台５を下方に回転させる。このとき、可動式点検架台５は、図５に示すように、鉛直状態になるまで略９０°回転移動させる。
【００２１】
そして、可動式点検架台５が鉛直状態に位置されたとき、可動式点検架台５を中段下流側点検歩廊４ｂに設置した固定ボルト（図示せず）に固定させて、取水ゲート２の格納作業に移る。
【００２２】
本実施形態に係る可動式点検架台５は、手巻きウインチ１２によりワイヤロープ１６を若干巻上げして、固定フック１３を上段下流側点検歩廊４ａの固定ボルト１０から取外して、ワイヤロープ１６を巻戻して、ヒンジ１１を中心にして下方に回転させ、中段下流側点検歩廊４ｂに固定ボルトで固定させることで、取水ゲート２の点検場所を確保することができ、また、可動式点検架台５の格納作業は、作業手順が少ないので、時間がかからず、作業が容易であり、構造が簡単である。
【００２３】
更に、手巻きウインチ１２の操作は、上段下流側点検歩廊４ａ上で操作することができるので作業員は安全に作業することができる。また、手巻きウインチ１２のワイヤロープ１６には、維持管理が必要となるが、取水ゲート２の格納時以外では、可動式点検架台５の一対の固定フック１３は、上段下流側点検歩廊４ａの一対の固定ボルト１０にそれぞれ係止することで、可動式点検架台５を水平状態に支持することができるため、ワイヤロープ１６には、常に荷重が負荷されていない状態になるので、ワイヤロープ１６を長期間使用することができる。
【符号の説明】
【００２４】
３…上流側点検歩廊、４…下流側点検歩廊、５…可動式点検架台、６…スライド式点検歩廊、１０…固定ボルト、１１…ヒンジ、１２…手巻きウインチ、１３…固定フック、１４ａ…第１滑車（滑車）、１４ｂ…第２滑車（滑車）、１６…ワイヤロープ
【図１】
0005418948.tif 000002
【図２】
0005418948.tif 000003
【図３】
0005418948.tif 000004
【図４】
0005418948.tif 000005
【図５】
0005418948.tif 000006